(57)【要約】【課題】セル間の放電干渉が起こりにくい構造をもつＡＣ型のプラズマディスプレイパネルによって高輝度の表示を実現する。【解決手段】画面を構成するセルを列方向に隣り合う２個を１つの組とする複数の組に分け、部分アドレッシング、転写準備、転写を順に行うことによって、２個のセルの組を発光単位とするマトリクス表示を実現する。部分アドレッシングとは、組における一方のセルのみを対象として行うアドレッシングである。転写準備とは、部分アドレッシングの対象のうちの点灯すべきセルのみにおいて表示電極間の放電を生じさせる操作である。転写とは、アドレスセルのうちの点灯すべきセルおよびこれらセルと組になるセルにおいて表示電極間の放電を生じさせる操作である。【選択図】      図６
2005010424.tif 000002
【特許請求の範囲】
【請求項１】
マトリクス表示の行を画定するとともに表示放電のための電極対を構成する複数の表示電極と、列を画定する複数のアドレス電極とが配列された画面を有するＡＣ型のプラズマディスプレイパネルの駆動方法であって、
２個のセルの組を発光単位とするマトリクス表示を、
前記画面を構成する複数のセルを列方向に並びかつ隣り合う２個を１つの組とする複数の組に分ける組分けと、
点灯すべきセルおよび他のセルのどちらかにおいて前記表示電極と前記アドレス電極との間の放電を生じさせることによって、点灯すべきセルの壁電荷量を他のセルの壁電荷量よりも多くする操作を、前記複数の組のそれぞれにおける一方のセルのみを対象として行う部分アドレッシングと、
前記部分アドレッシングの対象であるアドレスセルのうちの点灯すべきセルのみにおいて表示電極間の放電を生じさせ、それによって表示電極対の壁電荷量を均等にする転写準備と、
前記アドレスセルのうちの点灯すべきセルおよびこれらセルのそれぞれと組になるセルにおいて表示電極間の放電を生じさせ、それによって前記画面内の全ての点灯すべきセルの壁電荷量を他のセルの壁電荷量よりも多くする転写と、
前記画面内の全ての点灯すべきセルにおいて表示すべき明るさに応じた回数の表示放電を生じさせる点灯維持と、
を行うことによって実現する
ことを特徴とするプラズマディスプレイパネルの駆動方法。
【請求項２】
前記転写において、前記アドレスセルの表示電極間に放電開始電圧よりも低い維持電圧を印加し、前記アドレスセルではないセルの表示電極間に放電開始電圧よりも低くかつ前記維持電圧より高い電圧を印加する
請求項１記載のプラズマディスプレイパネルの駆動方法。
【請求項３】
フレームを２つのフィールドに分け、
フィールド間で発光単位の位置が列方向に１セル分だけずれるように、フィールドごとに前記組分けを行い、
少なくとも１つのフィールドにおいて、前記アドレッシングと前記転送準備と前記転送と前記点灯維持とを行う
請求項１記載のプラズマディスプレイパネルの駆動方法。
【請求項４】
前記２つのフィールドの両方において、前記アドレッシングと前記転送準備と前記転送と前記点灯維持とを行い、
前記２つのフィールドの一方のフィールドの表示における全てのアドレスセルを、他方のフィールドの表示においてもアドレスセルとする
請求項３記載のプラズマディスプレイパネルの駆動方法。
【請求項５】
マトリクス表示の行を画定するとともに表示放電のための電極対を構成する複数の表示電極と、列を画定する複数のアドレス電極とが配列された画面を有するＡＣ型のプラズマディスプレイパネルの駆動方法であって、
２個のセルの組を発光単位とするマトリクス表示を、
全てのセルのそれぞれについて、列方向の隣のセルとの間で列方向の電極位置関係が反対になるように、前記表示電極を第１電極と第２電極とに分類する電極区別と、
互いの間に少なくとも１本の前記第１電極を介在させて近接する２本の前記第２電極を共通のタイミングで一時的にバイアスする操作をバイアス対象を切り換えて繰り返す２電極同時走査、および前記アドレス電極に対する表示データに応じた電位制御によって、前記画面内の全ての点灯すべきセルの壁電荷量を他のセルの壁電荷量よりも多くするアドレッシングと、
前記画面内の全ての点灯すべきセルにおいて表示すべき明るさに応じた回数の表示放電を生じさせる点灯維持と、
を行うことによって実現する
ことを特徴とするプラズマディスプレイパネルの駆動方法。
【請求項６】
前記２電極同時走査を前半と後半とに分け、
前半および後半の一方では列方向の配置順位が奇数の発光単位に対応した第２電極をバイアス対象とし、他方では列方向の配置順位が偶数の発光単位に対応した第２電極をバイアス対象とし、
後半において第１電極と第２電極との間およびアドレス電極と第２電極との間にそれぞれ印加する電圧を、前半において該当する電極間に印加する電圧よりも高くする
請求項５記載のプラズマディスプレイパネルの駆動方法。
【請求項７】
ＡＣ型のプラズマディスプレイパネルと、前記プラズマディスプレイパネルを駆動する駆動回路とを備えた表示装置であって、
前記プラズマディスプレイパネルは、マトリクス表示の行を画定するとともに表示放電のための電極対を構成する複数の表示電極と、列を画定する複数のアドレス電極とが配列された画面を有し、
前記画面を構成する複数のセルは、列方向に並びかつ隣り合う２個を１つの組とする複数の組の集合を形成し、
前記駆動回路は、２個のセルの組を発光単位とするマトリクス表示を実現するために、
点灯すべきセルおよび他のセルのどちらかにおいて前記表示電極と前記アドレス電極との間の放電を生じさせることによって、点灯すべきセルの壁電荷量を他のセルの壁電荷量よりも多くする操作を、前記複数の組のそれぞれにおける一方のセルのみを対象として行う部分アドレッシングと、
前記部分アドレッシングの対象であるアドレスセルのうちの点灯すべきセルのみにおいて表示電極間の放電を生じさせ、それによって表示電極対の壁電荷量を均等にする転写準備と、
前記アドレスセルのうちの点灯すべきセルおよびこれらセルのそれぞれと組になるセルにおいて表示電極間の放電を生じさせ、それによって前記画面内の全ての点灯すべきセルの壁電荷量を他のセルの壁電荷量よりも多くする転写と、
前記画面内の全ての点灯すべきセルにおいて表示すべき明るさに応じた回数の表示放電を生じさせる点灯維持と、を行う
ことを特徴とする表示装置。
【請求項８】
前記複数の表示電極は、列方向に並ぶセルの境界に電極間隙を設けるように配置されている
請求項７記載の表示装置。
【請求項９】
ＡＣ型のプラズマディスプレイパネルと、前記プラズマディスプレイパネルを駆動する駆動回路とを備えた表示装置であって、
前記プラズマディスプレイパネルは、マトリクス表示の行を画定するとともに表示放電のための電極対を構成する複数の表示電極と、列を画定する複数のアドレス電極とが配列された画面を有し、
前記複数の表示電極は、全てのセルのそれぞれについて列方向の隣のセルとの間で列方向の電極位置関係が反対になるように並ぶ第１電極と第２電極の集合を形成し、
前記駆動回路は、２個のセルの組を発光単位とするマトリクス表示を実現するために、
互いの間に少なくとも１本の前記第１電極を介在させて近接する２本の前記第２電極を共通のタイミングで一時的にバイアスする操作をバイアス対象を切り換えて繰り返す２電極同時走査、および前記アドレス電極に対する表示データに応じた電位制御によって、前記画面内の全ての点灯すべきセルの壁電荷量を他のセルの壁電荷量よりも多くするアドレッシングと、
前記画面内の全ての点灯すべきセルにおいて表示すべき明るさに応じた回数の表示放電を生じさせる点灯維持と、を行う
ことを特徴とする表示装置。
【請求項１０】
前記プラズマディスプレイパネルは、前記画面をセルごとに区画するメッシュ状の放電障壁を有し、
前記複数の表示電極は、セルごとに表示放電のための放電ギャップを形成するように一定ピッチで配列され、
表示電極の数は前記画面における列方向のセル数に１を加えた数であり、
前記複数の表示電極のそれぞれは、列方向に並ぶセルの境界に電極間隙を設けるようにパターニングされている
請求項９記載の表示装置。
【発明の詳細な説明】
【０００１】
【発明の属する技術分野】
本発明は、プラズマディスプレイパネル（Ｐｌａｓｍａ  Ｄｉｓｐｌａｙ  Ｐａｎｅｌ：ＰＤＰ）の駆動方法、およびプラズマディスプレイパネルによって画像を表示する表示装置に関する。
【０００２】
プラズマ表示装置は大画面テレビジョン受像機として普及しつつある。普及の促進のため、表示品位の向上とともに動作性能全般について改善が進められている。
【０００３】
【従来の技術】
カラー表示用のＡＣ型プラズマディスプレイパネルにおいて面放電形式が採用されている。ここでいう面放電形式は、セルの発光量を決める表示放電において陽極および陰極となる表示電極を、前面側または背面側の基板の上に平行に配列し、表示電極対と交差するようにアドレス電極を配列する形式である。
【０００４】
面放電形式における表示電極の配列には２つの形態がある。ここでは便宜的に一方を形態Ａ、他方を形態Ｂと呼称する。形態Ａは、マトリクス表示の行ごとに一対ずつ表示電極を配列するものである。表示電極の総数は行数ｎの２倍となる。形態Ａでは、各行が制御の上で独立しているので、駆動シーケンスを単純化することができる。しかし、隣り合う行どうしの電極間隙（逆スリットと呼称される）が非発光領域となるので、表示面の利用率は小さい。形態Ｂは、行数ｎに１を加えた本数の表示電極を等間隔に２行に３本の割合で配列する形態である。形態Ｂでは、隣り合う表示電極どうしが面放電のための電極対を構成し、全ての表示電極間隙が面放電ギャップとなる。形態Ｂは、高精細化および表示面の利用率の点で形態Ａよりも優れている。
【０００５】
形態Ｂの電極配列に適用されている駆動シーケンスは、奇数行データの表示と偶数行データの表示とを時分割で行うインタレース形式である。従来では、特開平９−１６０５２５号公報に開示されているように、奇数フィールドの表示において各列の奇数番目のセルのみを点灯させ、偶数フィールドの表示において偶数番目のセルのみを点灯させる駆動制御が行われていた。マトリクス表示の発光単位は１つのセルであった。
【０００６】
一方、形態Ｂのプラズマディスプレイパネルのセル構造の変形例として、特開平１２−１１３８２８号公報に開示されているように表示電極が列方向に分割されてセル間に電極間隙が形成された構造（特開平１２−１１３８２８号公報の図１２）、および特開２００２−１０８２７９号公報に開示されているように放電空間をセルごとに区画するメッシュ状の隔壁（放電障壁）によって放電空間がセルごとに区画された構造（特開２００２−１０８２７９号公報の図２）がある。
【０００７】
【発明が解決しようとする課題】
典型的な形態Ｂのプラズマディスプレイパネルの駆動には、列方向に並ぶセル間における放電の分離が難しいという問題があった。全ての表示電極間隙が放電ギャップとして適当な同じ寸法であるので、各セルの放電が隣のセルまで過剰に拡がり易い。そこで、パネル構造として上述した変形例を採用することが考えられる。
【０００８】
しかし、行ピッチを増大させずにセル間に電極間隙を設けると、必然的に個々のセルの放電部分の面積が小さくなり、表示の輝度が低下する。隔壁でセルを区画する場合も、同様に１セルの放電が小規模となって輝度が低下する。
【０００９】
本発明は、セル間の放電干渉が起こりにくい構造をもつＡＣ型のプラズマディスプレイパネルによって高輝度の表示を実現することを目的としている。他の目的は、セル配列ピッチと同じ行ピッチの高輝度のマトリクス表示を行うことである。
【００１０】
【課題を解決するための手段】
第１の解決策として、本発明においては、画面を構成する複数のセルを列方向に並びかつ隣り合う２個を１つの組とする複数の組に分け、部分アドレッシング、転写準備、転写、および点灯維持を順に行うことによって、２個のセルの組を発光単位とするマトリクス表示を実現する。部分アドレッシングとは、前記複数の組のそれぞれにおける一方のセルのみを対象として行うアドレッシングである。
アドレッシングは、点灯維持を行う期間において点灯すべきセルの帯電状態と点灯すべきでないセルの帯電状態とを異ならせる操作である。転写準備とは、部分アドレッシングの対象であるアドレスセルのうちの点灯すべきセルのみにおいて表示電極間の放電を生じさせる操作である。転写準備は、面放電で壁電荷を形成する場合と同じ壁電荷分布となるように点灯すべきセルの表示電極対の壁電荷量を均等にする。転写とは、全ての点灯すべきセルの壁電荷量を他のセル（点灯すべきでないセル）の壁電荷量よりも多くするために、アドレスセルのうちの点灯すべきセルおよびこれらセルのそれぞれと組になるセルにおいて表示電極間の放電を生じさせる操作である。転写によって、点灯すべきセルの帯電状態は、点灯維持期間に放電が生じる状態となる。点灯維持とは、全ての点灯すべきセルにおいて表示すべき明るさに応じた回数の表示放電を生じさせる操作である。
【００１１】
発光単位が２個のセルの組であるので、輝度はセルを発光単位とする場合と比べてほぼ２倍となる。転写を行うことで、各組のセルの一方のアドレッシングと他方のアドレッシングとを行う場合と比べて、アドレッシングの所要時間が短くなる。転写は、表示電極対の片方の表示電極のみをスキャン電極とする駆動回路において、発光単位とスキャン電極との位置関係の制限を緩和する。転写に先立って転写準備を行うことで、転写の信頼性が高まる。そして、フレームを２つのフィールドに分け、フィールド間で発光単位の位置が列方向に１セル分だけずれるようにフィールドごとに前記組分けを行い、少なくとも一方のフィールドにおいて前記アドレッシングと前記転写準備と前記転写と前記点灯維持とを行えば、セル配列ピッチと同じ行ピッチの高輝度のマトリクス表示が実現される。
【００１２】
第２の解決策として、本発明においては、全てのセルのそれぞれについて列方向の隣のセルとの間で列方向の電極位置関係が反対になるように、表示電極を第１電極と第２電極とに分類し、２電極同時走査を含むアドレッシング、および点灯維持を順に行うことによって、２個のセルの組を発光単位とするマトリクス表示を実現する。２電極同時走査とは、互いの間に少なくとも１本の前記第１電極を介在させて近接する２本の前記第２電極を共通のタイミングで一時的にバイアスする操作をバイアス対象を切り換えて繰り返す操作である。
【００１３】
【発明の実施の形態】
〔第１実施形態〕
第１実施形態は、転写を行う駆動形態であり、列方向におけるセル間の放電干渉が起こり得る構造のプラズマディスプレイパネルに適用される。
【００１４】
図１は第１実施形態に係る表示装置の構成を示す。表示装置１００は、マトリクス表示の行（ｒｏｗ）および列（ｃｏｌｕｍｎ）を構成する多数のセルを有したＡＣ型のプラズマディスプレイパネル（ＰＤＰ）１と、セルの発光を制御するドライブユニット７０とから構成されている。
【００１５】
プラズマディスプレイパネル１において、面放電形式の表示放電を生じさせるための電極対を構成する表示電極Ｘ，Ｙは平行に配列され、これら表示電極Ｘ，Ｙと交差するようにアドレス電極Ａが配列されている。表示電極Ｘ，Ｙは水平方向に延び、アドレス電極Ａは列方向（垂直方向）に延びている。表示電極Ｘ，Ｙの総数は１列のセル数に１を加えた数（２ｎ）であり、アドレス電極Ａの総数は列数と同数（ｍ）である。図において表示電極Ｘ，Ｙおよびアドレス電極Ａの参照符号の添字は配列順位を示す。
【００１６】
ドライブユニット７０は、駆動制御を担う制御回路７１、駆動電力を出力する電源回路７３、表示電極Ｘの電位を制御するためのＸドライバ７６、表示電極Ｙの電位を制御するためのＹドライバ７７、およびアドレス電極Ａの電位を制御するためのＡドライバ７８を有している。Ｙドライバ７７は、ｎ本の表示電極Ｙに対する個別の電位制御を可能にするスキャン回路を含む。ドライブユニット７０にはＴＶチューナ、コンピュータなどの画像出力装置からＲ，Ｇ，Ｂの３色の輝度レベルを示すフレームデータＤｆが、各種の同期信号とともに入力される。フレームデータＤｆは制御回路７１の中のフレームメモリに一時的に記憶される。制御回路７１は、フレームデータＤｆを階調表示のためのサブフィールドデータＤｓｆに変換してＡドライバ７８へシリアル転送する。サブフィールドデータＤｓｆは１セル当たり１ビットの表示データであって、その各ビットの値は該当する１つのサブフィールドにおけるセルの発光の要否、厳密にはアドレス放電の要否を示す。
【００１７】
図２はプラズマディスプレイパネル１のセル構造を示す。図２ではプラズマディスプレイパネル１における３×２個のセルに対応した部分を、内部構造がよくわかるように一対の基板構体１０，２０を分離させて描いてある。
【００１８】
プラズマディスプレイパネル１は一対の基板構体１０，２０からなる。基板構体とは、画面サイズ以上の大きさのガラス基板と他の少なくとも１種のパネル構成要素とからなる構造体を意味する。前面側の基板構体１０は、ガラス基板１１、電極Ｘ’，Ｙ’、誘電体層１７、および保護膜１８から構成される。電極Ｘ’，Ｙ’のそれぞれは、面放電ギャップを形成する太い帯状の透明導電膜と電気抵抗を下げるバス導体としての細い帯状の金属膜とから構成されている。隣り合う一対の電極Ｘ’，Ｘ’が１本の表示電極Ｘを構成し、隣り合う一対の電極Ｙ’，Ｙ’が１本の表示電極Ｙを構成する。表示電極Ｘ，Ｙは誘電体層１７および保護膜１８によって被覆されている。背面側の基板構体２０は、ガラス基板２１、アドレス電極Ａ、絶縁層２４、複数の隔壁２９、および蛍光体層２８Ｒ，２８Ｇ，２８Ｂから構成される。隔壁２９は、平面形状が真っ直ぐな帯状の構造体であり、アドレス電極配列の電極間隙ごとに１つずつ設けられている。隔壁２９によって放電ガス空間がマトリクス表示の列ごとに区画され、各列に対応した列空間３１が形成される。列空間３１は全ての行に跨がって連続している。蛍光体層２８Ｒ，２８Ｇ，２８Ｂは、放電ガスが放つ紫外線によって励起されて発光する。図中の斜体アルファベットＲ，Ｇ，Ｂは蛍光体の発光色を示す。
【００１９】
図３は電極配列の模式図である。隣り合う２本の電極Ｘ’，Ｘ’は間隙Ｇ２を隔てて並び、セル６０からなる画面５１の外側で連結され、表示電極Ｘとして電気的に一体化されている。同様に、隣り合う２本の電極Ｙ’，Ｙ’は間隙Ｇ２を隔てて並び、画面５１の外側で連結され、表示電極Ｙとして電気的に一体化されている。表示電極Ｘ，Ｙのそれぞれの連結部位は、ドライバとの接続を容易にするために画面５１の一端と他端とに振り分けられている。表示電極Ｘ，Ｙのそれぞれは、画面５１の内部では２本の電極に分かれている。表示電極Ｘおよび表示電極Ｙは、ＸＹＸＹ…ＸＹの順に１本ずつ交互に並ぶように配列され、放電ギャップＧ１を隔てて隣り合う表示電極Ｘと表示電極Ｙとが面放電のための電極対（陽極および陰極）を構成する。電極対の総数は列のセル数と同数である。
【００２０】
以下、表示装置１００におけるプラズマディスプレイパネル１の駆動方法を説明する。
図４はフィールド分割の概念図である。入力画像である時系列のフレームＦは奇数フィールドＦ１と偶数フィールドＦ２とで構成される。フレームＦがプログレッシブ形式の場合にはインタレース形式に変換される。奇数フィールドＦ１および偶数フィールドＦ２のそれぞれは、輝度の重み付けをしたｑ個のサブフィールドＳＦ１  ，ＳＦ２  ，…ＳＦｑ  （以下、表示順序を示す添字を省略する）に置き換えられる。輝度の重み｛Ｗ１  ，Ｗ２  ，…Ｗｑ    ｝は表示放電の回数を規定する。サブフィールド配列は重みの順でも他の順序でもよい。奇数フィールドＦ１を構成するｑ個のサブフィールドＳＦの表示には画面の奇数行Ｌ１  ，Ｌ３  ，Ｌ５ …が用いられ、偶数フィールドＦ２を構成するｑ個のサブフィールドＳＦの表示には偶数行Ｌ２ ，Ｌ４ ，Ｌ６  …が用いられる。ここで注意すべきことは、輝度を高めるために各行Ｌが列数ｍの２倍の個数のセルで構成されることである。
【００２１】
表示装置１００が行うマトリクス表示の発光単位は、列方向に並びかつ隣り合う２個のセルの組である。図５（Ａ）のように、奇数フィールドにおける発光単位Ｕ１は、１本の表示電極Ｙを共用する２個のセルからなる。図５（Ｂ）のように、偶数フィールドにおける発光単位Ｕ２は、１本の表示電極Ｘを共用する２個のセルからなる。奇数フィールドと偶数フィールドとの間の行のズレ量は、列方向のセルピッチＰと同一なので、１つのセルを発光単位とする従来のインタレース表示と同じ解像度の表示が可能である。
【００２２】
図６はサブフィールドの内訳を示す。奇数フィールドの表示において、１つのサブフィールドに割り当てられるサブフィールド期間Ｔｓｆは、リセット期間ＴＲ、アドレス期間ＴＡ、およびサステイン期間ＴＳに分かれる。偶数フィールドの表示において、サブフィールド期間Ｔｓｆは、リセット期間ＴＲ、部分アドレス期間ＴＰ、転写準備期間ＴＵ、転写期間ＴＭ，およびサステイン期間ＴＳに分かれる。部分アドレス期間ＴＰ、転写準備期間ＴＵ、および転写期間ＴＭは本発明に特有である。
【００２３】
リセット期間ＴＲは、全てのセルについて壁電荷を均等にするアドレッシング準備（一般に初期化と呼称される）のための期間である。アドレス期間ＴＡは、点灯すべきセルの壁電荷量を他のセルよりも多くするアドレッシングのための期間である。サステイン期間ＴＳは、表示すべき明るさに応じた回数の表示放電を生じさせる点灯維持のための期間である。
【００２４】
部分アドレス期間ＴＰは、発光単位Ｕ２の一方のセルのみを対象とするアドレッシングである部分アドレッシングのための期間である。転写準備期間ＴＵは、部分アドレッシングの対象である“アドレスセル”のうちの点灯すべきセルにおける表示電極間の壁電荷の偏りを低減する転写準備のための期間である。そして、転写期間ＴＭは、アドレスセルの情報（壁電荷量）を各アドレスセルと組をなすセルに与える転写のための期間である。
【００２５】
〔実施例１〕
図７は実施例１の奇数フィールドの駆動電圧波形を示す。以下において、表示電極Ｘのみに注目した電極配列の奇数番目の表示電極Ｘ（Ｘ１  ，Ｘ３  、Ｘ５  ，…）を表示電極Ｘｏｄｄ  といい、偶数番目の表示電極Ｘ（Ｘ２  ，Ｘ４  、Ｘ６  ，…）を表示電極Ｘｅｖｅｎという。同様に、奇数番目の表示電極Ｙ（Ｙ１  ，Ｙ３  、Ｙ５  ，…）を表示電極Ｙｏｄｄ  といい、偶数番目の表示電極Ｙ（Ｙ２  ，Ｙ４  、Ｙ６  ，…）を表示電極Ｙｅｖｅｎという。
【００２６】
リセット期間ＴＲにおいては、表示電極Ｙに対して正の鈍波パルスが印加される。すなわち、表示電極Ｙの電位を０からＶｒ１へ単調に上昇させるバイアス制御が行われる。続いて、表示電極Ｙに対して負の鈍波パルスが印加される。すなわち、表示電極Ｙの電位を−Ｖｒ２へ単調に降下させるバイアス制御が行われる。このとき、処理を早めるために、表示電極Ｘに正のオフセットバイアス（ＶｒＸ  ）が与えられる。アドレス電極Ａの電位は、リセット期間ＴＲの全体にわたって０に保たれる。１回目の正の鈍波パルスの印加で生じる微小放電は、以前の表示における点灯／非点灯に係わらず全てのセルに同一極性の適当な壁電圧を生じさせる。２回目の負の鈍波パルスの印加で生じる微小放電は、壁電圧を放電開始電圧と印加電圧の振幅との差に相当する値に調整する。壁電圧の調整値は、書込み形式のアドレッシングを行う場合は一般に零またはそれに近い値であり、消去形式のアドレッシングを行う場合は一般に放電開始電圧値より若干小さい値である。
【００２７】
アドレス期間ＴＡにおいては、表示電極Ｙに対して１本ずつ順に振幅が−Ｖｙのスキャンパルスが印加される。すなわち、行選択が行われる。行選択に同期して、選択行のうちの選択セルに対応したアドレス電極Ａにアドレスパルスが印加される。表示電極Ｙおよびアドレス電極Ａによって選択された選択セルでアドレス放電が生じて所定の壁電荷量が変化する。選択セルは、書込み形式の場合は点灯すべきセルであり、消去形式の場合は点灯すべきでないセルである。以下の説明では、アドレッシングを書込み形式とする。
【００２８】
サステイン期間ＴＳにおいては、表示電極Ｙと表示電極Ｘとに交互に振幅がＶｓの正のサステインパルスが印加される。印加ごとに適量の壁電荷が存在する点灯すべきセルの表示電極間で表示放電が生じる。
【００２９】
図示のとおり奇数フィールドにおいては、表示電極Ｘｏｄｄ  および表示電極Ｘｅｖｅｎの波形は同一である。表示電極Ｙｏｄｄ  および表示電極Ｙｅｖｅｎについてみれば、リセット期間ＴＲおよびサステイン期間ＴＳの波形が同一である。
【００３０】
図８は実施例１の偶数フィールドの駆動電圧波形を示す。リセット期間ＴＲおよびサステイン期間ＴＳの波形は奇数フィールドの波形と同様であるので、その説明を省略する。
【００３１】
部分アドレス期間ＴＰは前半期間ＴＰ１と後半期間ＴＰ２とに分かれる。
前半期間ＴＰ１においては、表示電極Ｘｅｖｅｎが電位ＶａＸ  にバイアスされ、表示電極Ｙｏｄｄ  に対して１本ずつ順に振幅が−Ｖｙのスキャンパルスが印加される。すなわち、画面の各列における奇数番目の発光単位Ｕ２の上流側（図５の上側）のセルが選択される。この選択に同期して、選択されたアドレスセルのうちの点灯すべきセルに対応したアドレス電極Ａにアドレス放電を生じさせるアドレスパルスが印加される。このような前半期間ＴＰ１の操作（部分アドレッシングの一部）を“前半アドレッシング”と呼称する。
【００３２】
後半期間ＴＰにおいては、表示電極Ｘｏｄｄ  が電位ＶａＸ  にバイアスされ、表示電極Ｙｅｖｅｎに対して１本ずつ順に振幅が−Ｖｙのスキャンパルスが印加される。すなわち、画面の各列における偶数番目の発光単位Ｕ２の上流側のセルが選択される。この選択に同期して、選択されたアドレスセルのうちの点灯すべきセルに対応したアドレス電極Ａにアドレスパルスが印加される。このような後半期間ＴＰ２の操作を“後半アドレッシング”と呼称する。
【００３３】
転写準備期間ＴＵにおいては、前半アドレッシングの対象である“前半アドレスセル”のうち、アドレス放電によって壁電荷が形成されたセル（点灯すべきセル）のみで表示電極間の放電を２回生じさせ、その後に後半アドレッシングの対象である“後半アドレスセル”のうち、点灯すべきセルのみで表示電極間の放電を２回生じさせるように、電極電位が制御される。表示電極Ｘは一時的に電位ＶｕＸ  にバイアスされ、表示電極Ｙは一時的に電位ＶｕＹ  にバイアスされる。
【００３４】
転写準備ではアドレスセルで放電が起こりかつ転写セルで放電が起こらないようにする必要がある。この条件は次のように電位関係を設定することで満たされる。前半アドレスセルに対する転写準備では、表示電極Ｙｏｄｄ  をハイレベル、表示電極Ｘｅｖｅｎをローレベル（放電を発生させるため）、表示電極Ｘｏｄｄ  をハイレベル（後半転写セルにかかる電圧を低くするため）、表示電極Ｙｅｖｅｎをローレベル  （前半転写セルにかかる電圧を低くするため）とする。後半アドレスセルに対する転写準備では、表示電極Ｙｅｖｅｎをハイレベル、表示電極Ｘｏｄｄ  をローレベル（放電を発生させるため）、表示電極Ｘｅｖｅｎをハイレベル（後半転写セルにかかる電圧を低くするため）、表示電極Ｙｏｄｄ  をローレベル  （前半転写セルにかかる電圧を低くするため）とする。
【００３５】
転写期間ＴＭにおいては、まず、前半アドレスセルのうちの点灯すべきセルで表示電極間の放電が生じ、かつその放電に誘発されて隣りのセルでも表示電極間の放電が生じるように電極電位が制御される。隣りのセルとは、前半アドレスセルと組をなすセルである前半転写セルのうちの点灯すべきセルである。前半アドレスセルのうちの点灯すべきでないセル（壁電荷が形成されていないセル）は、放電が生じないように制御される。次に、後半アドレスセルのうちの点灯すべきセルで表示電極間の放電が生じ、かつその放電に誘発されて隣りのセルでも表示電極間の放電が生じるように電極電位が制御される。このときの隣りのセルとは、後半アドレスセルと組をなすセルである後半転写セルのうちの点灯すべきセルである。放電を生じさせるセルの表示電極Ｘは電位ＶｍＸ  または電位−ＶｍＸ  にバイアスされ、表示電極Ｙは電位ＶｍＹ  または電位−ＶｍＹ  にバイアスされる。
【００３６】
図９は転写の方向を示す。前半アドレスセルから前半転写セルへ、後半アドレスセルから後半転写セルへ、図の上から下へアドレッシングの内容が複写される。アドレスセルが点灯すべきセルであれば、転写セルにアドレスセルと同程度の壁電荷が形成される。アドレスセルが点灯すべきでないセルであれば、アドレスセルで放電が生じないので、転写セルでも放電が生じず、壁電荷の少ない状態が保たれる。つまり、転写は、アドレスセルがもつ点灯すべきか否かという情報を転写セルに反映させる。
【００３７】
図１０は転写準備および転写の概念を示す。ここでは代表として図示された前半アドレスセルおよび前半転写セルに注目し、本発明に特有の操作を説明する。
図１０（Ａ）のように、前半アドレッシングでは表示電極Ｙｏｄｄ  とアドレス電極Ａとの間のいわゆる対向放電９１を起こし、それをトリガーとして表示電極間の面放電９２を起こす。積極的に対向放電９１を起こすので、アドレッシングの終了時点の前半アドレスセルの表示電極間に注目すると、図１０（Ｂ）のように壁電荷の偏りが生じやすい。つまり、表示電極対の帯電量が不均等であることが多い。壁電荷の偏りは転写を不確実にする。また、表示電極Ｙｏｄｄ  の転写セル側にも壁電荷が形成されるので、前半アドレスセルの状態が後半転写セルに転写され易くなり表示不良が発生し易い。これら問題の対策として、転写準備は、前半アドレスセルのみで表示電極間の面放電を起こす。これにより、図１０（Ｄ）のように当該前半アドレスセルの表示電極対の帯電量が均等になる。本例では転写準備の放電回数が２であるので、転写準備終了時の壁電荷の極性は転写準備開始時の極性と同じである。図１０（Ｅ）のように転写では前半アドレスセルで面放電が起こり、それをトリガーとして前半転写セルでも面放電が起こる。これらの面放電は、図１０（Ｆ）のように前半アドレスセルおよび前半転写セルに同程度の壁電荷を形成する。
【００３８】
〔実施例２〕
図１１は実施例２の偶数フィールドの駆動電圧波形を示す。実施例２の波形のうち転写期間ＴＭの部分が実施例１の波形と異なる。
【００３９】
実施例２では、転写に際してアドレスセルには高電圧がかからず、転写セルにのみ高電圧がかかるように電極電位が制御される。実施例１の転写動作では、例えば前半アドレスセルから前半転写セルへの転写に際して、表示電極Ｙｏｄｄ  および表示電極Ｙｅｖｅｎの両方を電位ＶｍＹ  にバイアスし、表示電極Ｘｅｖｅｎを負の電位−ＶｍＸ  にバイアスすることによって、転写セルにかかる電圧を放電開始電圧以下でかつ維持電圧以上とし、アドレスセルの放電をトリガーとして転写セルに放電を発生させていた。この場合、アドレスセルに対しても高電圧が印加されるので、放電が広がりやすく転写セルへのトリガーの効果は大きい。しかし、表示電極Ｙを挟む転写セル（後半転写セル）へ向かう方向にも放電が広がって転写動作が不安定となる。実施例２はこの問題を解決する。
【００４０】
〔実施例３〕
図１２は実施例３におけるサブフィールドの内訳を示す。奇数フィールドおよび偶数フィールドの両方において、リセット期間ＴＲ、部分アドレス期間ＴＰ、転写準備期間ＴＵ、転写期間ＴＭ，およびサステイン期間ＴＳに分かれる。
【００４１】
奇数フィールドの表示においても、１本の表示電極Ｙでその両側のセルを選択する実施例１のアドレッシングに代えて、転写を含むアドレッシングが行われる。これによって、必要以上に放電が拡がってアドレッシングが不安定になるという問題が解決される。
【００４２】
図１３は実施例３の奇数フィールドの駆動電圧波形を示す。偶数フィールドには実施例１または実施例２の駆動波形が適用される。実施例３の波形のうち部分アドレス期間ＴＰから転写期間ＴＭまでの部分が実施例１の波形と異なる。
【００４３】
実施例３においては、表示電極Ｙｏｄｄ  と表示電極Ｘｏｄｄ  とが対になるセルが前半アドレスセルであり、表示電極Ｙｅｖｅｎと表示電極Ｘｅｖｅｎとが対になるセルが後半アドレスセルである。また、表示電極Ｙｏｄｄ  と表示電極Ｘｅｖｅｎとが対になるセルが前半転写セルであり、表示電極Ｙｅｖｅｎと表示電極Ｘｏｄｄ  とが対になるセルが後半転写セルである。
【００４４】
〔実施例４〕
図１４は実施例４における転写の方向を示す。実施例４では、奇数フィールドおよび偶数フィールドの両方で転写が行われ、転写の方向がフィールド間で異なる。奇数フィールドでは上流側から下流側への転写が行われ、偶数フィールドでは下流側から上流側への転写が行われる。両フィールドとも、表示電極Ｙｅｖｅｎと表示電極Ｘｅｖｅｎとが対になるセルが前半アドレスセルであり、表示電極Ｙｏｄｄ  と表示電極Ｘｏｄｄ  とが対になるセルが後半アドレスセルである。
【００４５】
各セルはアドレスセルか転写セルのどちらかに固定されるので、各セルの構造をアドレスセルまたは転写セルとして好ましいものに特異化することによって、駆動電圧設定の許容範囲を拡大することができる。例えば、図１５のようにアドレス電極Ａｂを、アドレスセル内の部分が局部的に太い帯状にパターニングすることによって、アドレスセルの対向放電開始電圧を下げることができる。アドレスセルでは転写セルと比べてアドレス放電が起こりやすくなるので、アドレッシングの信頼性が高まる。
【００４６】
以上の実施例１〜４は、図１６のような表示電極をもつプラズマディスプレイパネルの駆動にも適用可能である。
図１６において、表示電極Ｘ，Ｙのそれぞれは、２本の帯状の透明導電膜４１と１本の梯子状の金属膜４２とからなる。金属膜４２は、各透明導電膜４１に沿った細い２本の水平帯部４２１と画面の内部で水平帯部４２１どうしを連結する垂直帯部４２２とを有する。垂直帯部４２２は隣り合う隔壁２９の間に配置され、その配置位置は表示電極Ｘと表示電極Ｙとで互い違いになるように選定されている。つまり、一つのセルを見ると、一方の表示電極には垂直帯部４２２があって他方にはないという電極面積が偏った電極対構造が形成される。一般に、電極面積が異なる電極間での交番パルスによる放電では、放電の大きさが面積の小さい電極によって決められる。したがって、一方の非放電ギャップに連結部を設けても他方の非放電ギャップが大きいと放電が広がらない。隔壁２９に重ねる必要がないので、製造における前面基板と背面基板との位置あわせに高精度が要求されない。
〔第２実施形態〕
第２実施形態は、２電極同時走査を行う駆動形態であり、列方向におけるセル間の放電干渉が起こり得ない構造のプラズマディスプレイパネルに好適である。ただし、セル間の放電干渉が起こる構造のプラズマディスプレイパネルにも適用可能である。
【００４７】
図１７は第２実施形態に係る表示装置の構成を示す。表示装置２００は、マトリクス表示の行（ｒｏｗ）および列（Ｃｏｌｕｍｎ）を構成する多数のセルを有したＡＣ型のプラズマディスプレイパネル（ＰＤＰ）２と、セルの発光を制御するドライブユニット８０とから構成されている。
【００４８】
プラズマディスプレイパネル２において、面放電形式の表示放電を生じさせるための電極対を構成する表示電極Ｘ，Ｙは平行に配列され、これら表示電極Ｘｂ，Ｙｂと交差するようにアドレス電極Ａが配列されている。表示電極Ｘｂ，Ｙｂは水平方向に延び、アドレス電極Ａは列方向（垂直方向）に延びている。表示電極Ｘ，Ｙの総数は列のセル数に１を加えた数（２ｎ）であり、アドレス電極Ａの総数は列数と同数（ｍ）である。図において表示電極Ｘｂ，Ｙｂおよびアドレス電極Ａの参照符号の添字は配列順位を示す。
【００４９】
ドライブユニット８０は、駆動制御を担う制御回路８１、駆動電力を出力する電源回路８３、表示電極Ｘｂの電位を制御するためのＸドライバ８６、表示電極Ｙｂの電位を制御するためのＹドライバ８７、およびアドレス電極Ａの電位を制御するためのＡドライバ８８を有している。Ｙドライバ８７は、ｎ本の表示電極Ｙｂに対する個別の電位制御を可能にするスキャン回路を含む。
【００５０】
図１８はプラズマディスプレイパネル２のセル構造を示す。図１８ではプラズマディスプレイパネル２における３×２個のセルに対応した部分を、内部構造がよくわかるように一対の基板構体１０ｂ，２０ｂを分離させて描いてある。
【００５１】
プラズマディスプレイパネル２は一対の基板構体１０ｂ，２０ｂからなる。前面側の基板構体１０ｂは、ガラス基板１１、電極Ｘｂ，Ｙｂ、誘電体層１７、および保護膜１８から構成される。電極Ｘｂ，Ｙｂのそれぞれは、面放電ギャップを形成する太い帯状の透明導電膜と電気抵抗を下げるバス導体としての細い帯状の金属膜とから構成されている。表示電極Ｘｂ，Ｙｂは誘電体層１７および保護膜１８によって被覆されている。背面側の基板構体２０ｂは、ガラス基板２１、アドレス電極Ａ、絶縁層２４、メッシュ状の１つの隔壁２９０、および蛍光体層２８Ｒｂ，２８Ｇｂ，２８Ｂｂから構成される。隔壁２９０によって放電ガス空間がセルごとに区画される。蛍光体層２８Ｒｂ，２８Ｇｂ，２８Ｂｂは、放電ガスが放つ紫外線によって励起されて発光する。図中の斜体アルファベットＲ，Ｇ，Ｂは蛍光体の発光色を示す。
【００５２】
図１９は電極配列の模式図である。セル６２からなる画面５２において、表示電極Ｘｂおよび表示電極ＹｂがＸＹＸＹ…ＸＹの順に１本ずつ交互に並ぶように配列され、放電ギャップＧ１を隔てて隣り合う表示電極Ｘｂと表示電極Ｙｂとが面放電のための電極対（陽極および陰極）を構成する。電極対の総数は列のセル数と同数である。
【００５３】
以下、表示装置２００におけるプラズマディスプレイパネル２の駆動方法を説明する。
〔実施例５〕
図２０は実施例５の偶数フィールドの駆動電圧波形を示し、図２１は実施例５の偶数フィールドにおける走査の順序を示す。リセット期間ＴＲおよびサステイン期間ＴＳの波形は実施例１と同様である。アドレス期間ＴＡは前半期間ＴＡ１と後半期間ＴＡ２とに分かれる。
【００５４】
前半期間ＴＡ１において、表示電極Ｘｂｏｄｄ  を電位ＶＸＨにバイアスし、かつ表示電極Ｘｂｅｖｅｎを電位ＶＸＨより低い電位ＶＸＬにバイアスした状態で、表示電極Ｙｂｏｄｄ  と表示電極Ｙｂｅｖｅｎとに同時に振幅−Ｖｙのスキャンパルスが印加される。これにより、表示電極Ｘｂｏｄｄ  を共用する２つのセルに対して同時にアドレス動作が行われる。
【００５５】
後半期間ＴＡ２において、表示電極Ｘｂｅｖｅｎを電位ＶＸＨにバイアスし、かつ表示電極Ｘｂｏｄｄ  を電位ＶＸＬにバイアスした状態で、表示電極Ｙｂｏｄｄ  と表示電極Ｙｂｅｖｅｎとに同時にスキャンパルスが印加される。これにより、表示電極Ｘｂｅｖｅｎを共用する２つのセルに対して同時にアドレス動作が行われる。
【００５６】
奇数フィールドについて例えば実施例１の波形を適用すれば、転写によらないアドレッシングが実現される。これにより、転写動作の固有の回路素子や電源を削減することができる。
【００５７】
表示電極Ｘｂｏｄｄ  と表示電極Ｘｂｅｖｅｎは入れ替わってもかまわない。ただし、表示電極Ｘｂを挟むセルが走査されるようにする必要がある。例えば走査方向に対して  １本目からＸｂｏｄｄ  ，Ｙｂｏｄｄ  ，Ｘｂｅｖｅｎ，Ｙｂｅｖｅｎ……と並ぶ場合で表示電極Ｘｂｏｄｄ  を前半でハイレベルにするときは、前半走査の最初のパルスは表示電極Ｙｂｏｄｄ  のみに印加される。２発目以降は、表示電極Ｙｂｏｄｄ  と表示電極Ｙｂｅｖｅｎが同時に走査される。後半は表示電極Ｘｂｅｖｅｎがハイレベルとなり、最初のパルスから表示電極Ｙｂｏｄｄ  と表示電極Ｙｂｅｖｅｎが同時に走査される。
【００５８】
〔実施例６〕
図２２は実施例６の奇数フィールドの駆動電圧波形を示す。アドレス期間において表示電極Ｙｂの上下のセルにアドレス動作を行うことは実施例１と同じである。実施例６ではアドレス期間は前半期間ＴＡ１と後半期間ＴＡ２とに分かれる。
【００５９】
前半期間ＴＡ１において表示電極Ｙｂｏｄｄ  が走査され、後半期間ＴＡ２において表示電極Ｙｂｅｖｅｎが走査される。前半に走査されるセルを前半アドレスセル、後半に走査されるセルを後半アドレスセルと呼称する。前半のアドレス動作によって表示電極Ｘｂの後半アドレスセル側の電極上の壁電荷は少なくなり、後半アドレス時にアドレスミスが発生する。そこで後半アドレス期間ＴＡ２では表示電極Ｘｂにかける電圧を前半アドレス期間よりも高くすることでアドレスミスを防ぐことができる。偶数フィールドについては、実施例１，２のように転写を用いてもよいし，実施例５のように同時走査を用いてもよい。
【００６０】
〔実施例７〕
図２３は実施例７の奇数フィールドの駆動電圧波形を示す。実施例６においては後半アドレスの表示電極Ｘｂの電位を高くすることで、後半アドレスが弱まるの化を防いでいた。実施例７では、後半期間ＴＡ２のスキャンパルスによるバイアス電位を前半期間ＴＡ１のそれよりも低い−ＶＹＬにすることで実施例６と同様の効果が得られる。
【００６１】
〔実施例８〕
図２４は実施例８の偶数フィールドの駆動電圧波形を示す。実施例５のように２本の表示電極Ｙｂを同時に走査する場合においても、後半期間ＴＡ２の表示電極Ｘｂの電位を高くすることで、後半アドレスが弱まるの化を防ぐことができる。
【００６２】
〔実施例９〕
図２５は実施例９の偶数フィールドの駆動電圧波形を示す。実施例８においては後半期間ＴＡ２の表示電極Ｘｂの電位を高くすることで、後半アドレスが弱まるの化を防だが、後半期間ＴＡ２のスキャンパルスによるバイアス電位を前半期間ＴＡ１のそれよりも低い−ＶＹＬにすることで実施例８と同様の効果が得られる。
【００６３】
以上の実施例５〜９は、図２６のような表示電極をもつプラズマディスプレイパネルの駆動にも適用可能である。
図２６において、表示電極Ｘｂ，Ｙｂのそれぞれは、２本の帯状の透明導電膜４１と１本の梯子状の金属膜４２ｂとからなる。金属膜４２ｂは、各透明導電膜４１に沿った細い２本の水平帯部と画面の内部で水平帯部どうしを連結する垂直帯部とを有する。垂直帯部は隔壁２９０の間に配置されている。つまり、列方向に並ぶセルの境界位置に電極間隙Ｇ３が形成されている。電極間隙Ｇ３を形成することで、表示電極とアドレス電極との対向面積が小さくなり、電極間容量が減少する。特に隔壁２９０が存在する部分では、隔壁の誘電率が放電ガスより大きいので、電極間隙Ｇ３を設けるのが有効である。
【００６４】
【発明の効果】
請求項１ないし請求項１０の発明によれば、セル間の放電干渉が起こりにくい構造をもつＡＣ型のプラズマディスプレイパネルによって高輝度の表示を実現することができる。
【００６５】
請求項３または請求項４の発明によれば、セル配列ピッチと同じ行ピッチの高輝度のマトリクス表示を行うことができる。
【図面の簡単な説明】
【図１】第１実施形態に係る表示装置の構成を示す図である。
【図２】プラズマディスプレイパネルのセル構造を示す図である。
【図３】電極配列の模式図である。
【図４】フィールド分割の概念図である。
【図５】セルの組分けを示す図である。
【図６】サブフィールドの内訳を示す図である。
【図７】実施例１の奇数フィールドの駆動電圧波形を示す図である。
【図８】実施例１の偶数フィールドの駆動電圧波形を示す図である。
【図９】転写の方向を示す図である。
【図１０】転写準備および転写の概念を示す図である。
【図１１】実施例２の偶数フィールドの駆動電圧波形を示す図である。
【図１２】実施例３におけるサブフィールドの内訳を示す図である。
【図１３】実施例３の奇数フィールドの駆動電圧波形を示す図である。
【図１４】実施例４における転写の方向を示す図である。
【図１５】アドレスセル構造の特異化の例を示す図である。
【図１６】表示電極形状の変形例を示す図である。
【図１７】第２実施形態に係る表示装置の構成を示す図である。
【図１８】プラズマディスプレイパネルのセル構造を示す図である。
【図１９】電極配列の模式図である。
【図２０】実施例５の偶数フィールドの駆動電圧波形を示す図である。
【図２１】実施例５の偶数フィールドにおける走査の順序を示す図である。
【図２２】実施例６の奇数フィールドの駆動電圧波形を示す図である。
【図２３】実施例７の奇数フィールドの駆動電圧波形を示す図である。
【図２４】実施例８の偶数フィールドの駆動電圧波形を示す図である。
【図２５】実施例９の偶数フィールドの駆動電圧波形を示す図である。
【図２６】表示電極形状の変形例を示す図である。
【符号の説明】
１，２  プラズマディスプレイパネル
１００，２００  表示装置
７０，８０  ドライブユニット（駆動回路）
５１，５２  画面
６０，６２  セル
Ｕ１，Ｕ２  発光単位
Ｘ，Ｙ  表示電極
Ｘｂ  表示電極（第１電極）
Ｙｂ  表示電極（第２電極）
【図１】
2005010424.tif 000003
【図２】
2005010424.tif 000004
【図３】
2005010424.tif 000005
【図４】
2005010424.tif 000006
【図５】
2005010424.tif 000007
【図６】
2005010424.tif 000008
【図７】
2005010424.tif 000009
【図８】
2005010424.tif 000010
【図９】
2005010424.tif 000011
【図１０】
2005010424.tif 000012
【図１１】
2005010424.tif 000013
【図１２】
2005010424.tif 000014
【図１３】
2005010424.tif 000015
【図１４】
2005010424.tif 000016
【図１５】
2005010424.tif 000017
【図１６】
2005010424.tif 000018
【図１７】
2005010424.tif 000019
【図１８】
2005010424.tif 000020
【図１９】
2005010424.tif 000021
【図２０】
2005010424.tif 000022
【図２１】
2005010424.tif 000023
【図２２】
2005010424.tif 000024
【図２３】
2005010424.tif 000025
【図２４】
2005010424.tif 000026
【図２５】
2005010424.tif 000027
【図２６】
2005010424.tif 000028